(57)【要約】【課題】インタラクティブホワイトボードにおいてユーザーにより書き込まれる情報の管理を従来技術に比べてより直感的に行う手段を提供する。【解決手段】背景画像が投写されているスクリーン１０上にユーザーがデバイス１２を用いて筆記動作を行うと、デバイス１２からスクリーン１０に対し照射されるＬＥＤ光が撮像され画像解析によりその位置が特定されることで、筆記された文字や図形を示す軌跡データが生成され、スクリーン１０にその軌跡データに示される軌跡画像が表示される。デバイス１２には、予め保存、印刷もしくは削除の可否や暗号化の有無といった権限が付与されており、デバイス１２を用いた筆記により生成される軌跡データの処理の態様がその権限に応じて決定される。従って、ユーザーは筆記時に用いるデバイス１２を選択することにより、筆記する文字や図形の保存、印刷もしくは削除の可否や暗号化の有無を直感的に指示することができる。【選択図】図５
2013235416.tif 000002
【特許請求の範囲】
【請求項１】
画像データが示す画像を表示面上に表示する画像表示手段と、
指示体が示す前記表示面上の位置を特定し、前記指示体の軌跡を示す軌跡データを生成する軌跡データ生成手段と、
前記軌跡データ生成手段により生成される軌跡データについて、前記指示体に応じた態様で処理を行う軌跡データ処理手段と
を備え、
前記画像表示手段は、前記軌跡データ生成手段により生成された軌跡データが示す軌跡の画像を前記表示面上に表示する
画像表示システム。
【請求項２】
前記軌跡データ処理手段は、前記軌跡データが示す画像の表示、前記軌跡データの保存、前記軌跡データが示す画像の印刷、前記軌跡データの削除、前記軌跡データの暗号化および前記軌跡データの属性の変更のうちの少なくとも１つを行う
請求項１に記載の画像表示システム。
【請求項３】
前記指示体に応じた態様を示す態様データを記憶する記憶手段を備え、
前記軌跡データ処理手段は、前記記憶手段に記憶されている前記態様データが示す態様で、前記軌跡データについて処理を行う
請求項１または２に記載の画像表示システム。
【請求項４】
前記画像データを取得する画像データ取得手段と、前記画像データ取得手段により取得された前記画像データを送信する送信手段とを備える画像データ送信装置と、
前記画像データ送信装置から送信される前記画像データを受信する受信手段と、前記画像表示手段と、前記軌跡データ生成手段と、前記記憶手段と、前記軌跡データ生成手段により生成された前記軌跡データと前記記憶手段に記憶されている前記指示体に応じた態様データとを前記画像データ送信装置に送信する送信手段とを備える画像表示装置と
を備え、
前記画像データ送信装置は、前記画像表示装置から送信される前記軌跡データと前記態様データとを受信する受信手段を備える
請求項３に記載の画像表示システム。
【請求項５】
前記画像データを取得する画像データ取得手段と、前記画像データ取得手段により取得された前記画像データを送信する送信手段と、前記記憶手段とを備える画像データ送信装置と、
前記画像データ送信装置から送信される前記画像データを受信する受信手段と、前記画像表示手段と、前記軌跡データ生成手段と、前記軌跡データ生成手段により生成された前記軌跡データを前記画像データ送信装置に送信する送信手段とを備える画像表示装置と
を備え、
前記画像データ送信装置は、前記画像表示装置から送信される前記軌跡データを受信する受信手段を備える
請求項３に記載の画像表示システム。
【請求項６】
前記指示体から、前記軌跡データを扱う処理に関する複数の態様のうち前記指示体に応じた態様を示す態様データを受信する態様データ受信手段を備え、
前記軌跡データ処理手段は、前記態様データ受信手段により受信された前記態様データにより示される態様で、前記軌跡データについて処理を行う
請求項１乃至３のいずれかに記載の画像表示システム。
【請求項７】
前記画像データを取得する画像データ取得手段と、前記画像データ取得手段により取得された前記画像データを送信する送信手段とを備える画像データ送信装置と、
前記画像データ送信装置から送信される前記画像データを受信する画像データ受信手段と、前記画像表示手段と、前記軌跡データ生成手段と、前記態様データ受信手段と、前記軌跡データ生成手段により生成された前記軌跡データと前記態様データ受信手段により受信された前記態様データとを前記画像データ送信装置に送信する送信手段とを備える画像表示装置と
を備え、
前記画像データ送信装置は、前記画像表示装置から送信される前記軌跡データと前記態様データとを受信する受信手段を備える
請求項６に記載の画像表示システム。
【請求項８】
前記指示体もしくは前記指示体から発せられた光を撮像することにより撮像データを生成する撮像手段と、
前記撮像手段により生成された撮像データにより示される前記指示体または前記指示体から発せられた光が示す画像もしくは前記指示体から発せられた光が示す画像の変化の規則性に基づき、前記軌跡データについての処理に関する複数の態様のうち前記指示体に応じた態様を特定する態様特定手段と
を備え、
前記軌跡データ処理手段は、前記態様特定手段により特定された態様で、前記軌跡データについて処理を行う
請求項１乃至７のいずれかに記載の画像表示システム。
【発明の詳細な説明】
【技術分野】
【０００１】
本発明は、プロジェクター等の表示装置により表示された画像に対しユーザーにより筆記された画像を示すデータを管理する技術に関する。
【背景技術】
【０００２】
インタラクティブホワイトボード（以下、「ＩＷＢ」いう）と呼ばれる製品がある。ＩＷＢは、プロジェクター等の表示装置により表示面上に表示された画像に対し、ユーザーがペン型デバイス等を用いて擬似的に筆記を行うことを可能とする。
【０００３】
すなわち、表示装置は、表示面上にユーザーが行った筆記動作の軌跡を示す画像を、既に表示面上に表示している画像に重畳する形で表示する。その結果、表示されている画像に対する擬似的な図や文字の手書きが可能となる。
【０００４】
ＩＷＢに関する技術を記載した文献として、例えば特許文献１がある。特許文献１に記載のシステムによれば、プレゼンテーション時に用いられるポインターからスクリーンに対し照射される赤外光の軌跡を示す画像が、プロジェクターからスクリーンに対し投写されている画像に重畳される。その結果、ユーザーはポインターによりスクリーンに表示されている画像に対し、擬似的に図や文字の書き込みが可能となる。
【先行技術文献】
【特許文献】
【０００５】
【特許文献１】特開２０１１−０２８６２９号公報
【発明の概要】
【発明が解決しようとする課題】
【０００６】
ＩＷＢを用いた会議などにおいて、プレゼンテーション資料などに書き込まれる情報の一部を、その会議の参加者のみで共有したい場合がある。そのような場合、従来、書き込まれた情報のうち会議の参加者でない者には知られたくない情報を示す画像を選択し、それらを消去もしくは暗号化するための操作を要していた。
【０００７】
本発明は、ＩＷＢにおいてユーザーにより書き込まれる情報の管理を従来技術に比べてより直感的に行う手段を提供することを目的とする。
【課題を解決するための手段】
【０００８】
本発明は、画像データが示す画像を表示面上に表示する画像表示手段と、指示体が示す前記表示面上の位置を特定し、前記指示体の軌跡を示す軌跡データを生成する軌跡データ生成手段と、前記軌跡データ生成手段により生成される軌跡データについて、前記指示体に応じた態様で処理を行う軌跡データ処理手段とを備え、前記画像表示手段は、前記軌跡データ生成手段により生成された軌跡データが示す軌跡の画像を前記表示面上に表示する画像表示システムを提案する。
【０００９】
この画像表示システムによれば、ユーザーは例えば各々異なる権限の付与された複数の指示体の中から目的に応じた指示体を選択して筆記に用いることにより、軌跡データを扱う処理の態様を直感的に指定することができる。
【００１０】
また、上記の本発明にかかる画像表示システムにおいて、前記軌跡データ処理手段は、前記軌跡データが示す画像の表示、前記軌跡データの保存、前記軌跡データが示す画像の印刷、前記軌跡データの削除、前記軌跡データの暗号化および前記軌跡データの属性の変更のうちの少なくとも１つを行う、という構成が採用されてもよい。
【００１１】
この画像表示システムによれば、ユーザーは例えば筆記に用いる指示体を選択することにより、筆記により生成される軌跡データの表示の可否、保存の可否、印刷の可否、削除の可否、暗号化の実行・非実行、属性の変更の可否等を指定することができる。
【００１２】
また、上記の本発明にかかる画像表示システムにおいて、前記指示体に応じた態様を示す態様データを記憶する記憶手段を備え、前記軌跡データ処理手段は、前記記憶手段に記憶されている前記態様データが示す態様で、前記軌跡データについて処理を行う、という構成が採用されてもよい。
【００１３】
この画像表示システムによれば、指示体に付与されている権限を示す態様データが画像表示システムに記憶されるため、例えばユーザーは画像表示システムを操作して指示体に付与する権限を変更することが可能である。また、指示体は自機にいかなる権限が付与されているか、という点を管理する必要がないため、場合によっては望ましい。
【００１４】
また、上記の本発明にかかる画像表示システムにおいて、前記画像データを取得する画像データ取得手段と、前記画像データ取得手段により取得された前記画像データを送信する送信手段とを備える画像データ送信装置と、前記画像データ送信装置から送信される前記画像データを受信する受信手段と、前記画像表示手段と、前記軌跡データ生成手段と、前記記憶手段と、前記軌跡データ生成手段により生成された前記軌跡データと前記記憶手段に記憶されている前記指示体に応じた態様データとを前記画像データ送信装置に送信する送信手段とを備える画像表示装置とを備え、前記画像データ送信装置は、前記画像表示装置から送信される前記軌跡データと前記態様データとを受信する受信手段を備える、という構成が採用されてもよい。
【００１５】
この画像表示システムによれば、例えばユーザーが表示に用いる画像データの選択等の操作を行う画像データ送信装置と、画像の表示を行う画像表示装置が異なる装置として構成されるため、それらの装置の配置などの自由度が増す。その際、指示体に付与されている権限を示す態様データは画像表示装置に記憶され、画像データ送信装置はどの指示体にどの権限が付与されているか、という点を管理する必要がないため、場合によっては望ましい。
【００１６】
また、上記の本発明にかかる画像表示システムにおいて、前記画像データを取得する画像データ取得手段と、前記画像データ取得手段により取得された前記画像データを送信する送信手段と、前記記憶手段とを備える画像データ送信装置と、前記画像データ送信装置から送信される前記画像データを受信する受信手段と、前記画像表示手段と、前記軌跡データ生成手段と、前記軌跡データ生成手段により生成された前記軌跡データを前記画像データ送信装置に送信する送信手段とを備える画像表示装置とを備え、前記画像データ送信装置は、前記画像表示装置から送信される前記軌跡データを受信する受信手段を備える、という構成が採用されてもよい。
【００１７】
この画像表示システムによっても、例えばユーザーが表示に用いる画像データの選択等の操作を行う画像データ送信装置と、画像の表示を行う画像表示装置が異なる装置として構成されるため、それらの装置の配置などの自由度が増す。その際、指示体に付与されている権限を示す態様データは画像データ送信装置に記憶され、画像表示装置はどのデバイスにどの権限が付与されているか、という点を管理する必要がないため、場合によっては望ましい。
【００１８】
また、上記の本発明にかかる画像表示システムにおいて、前記指示体から、前記軌跡データを扱う処理に関する複数の態様のうち前記指示体に応じた態様を示す態様データを受信する態様データ受信手段を備え、前記軌跡データ処理手段は、前記態様データ受信手段により受信された前記態様データにより示される態様で、前記軌跡データについて処理を行う、という構成が採用されてもよい。
【００１９】
この画像表示システムによれば、画像表示システムは指示体から送信されてくる態様データに応じて、その指示体に対するユーザーの操作に応じて生成される軌跡データの処理の態様を決定することができる。従って、画像表示装置はいずれの指示体にいずれの権限が付与されているか、という点を管理する必要がないため、場合によっては望ましい。
【００２０】
また、上記の本発明にかかる画像表示システムにおいて、前記画像データを取得する画像データ取得手段と、前記画像データ取得手段により取得された前記画像データを送信する送信手段とを備える画像データ送信装置と、前記画像データ送信装置から送信される前記画像データを受信する画像データ受信手段と、前記画像表示手段と、前記軌跡データ生成手段と、前記態様データ受信手段と、前記軌跡データ生成手段により生成された前記軌跡データと前記態様データ受信手段により受信された前記態様データとを前記画像データ送信装置に送信する送信手段とを備える画像表示装置とを備え、前記画像データ送信装置は、前記画像表示装置から送信される前記軌跡データと前記態様データとを受信する受信手段を備える、という構成が採用されてもよい。
【００２１】
この画像表示システムによれば、例えばユーザーが表示に用いる画像データの選択等の操作を行う画像データ送信装置と、画像の表示を行う画像表示装置が異なる装置として構成されるため、それらの装置の配置などの自由度が増す。その際、指示体に付与されている権限を示す態様データは画像表示装置により指示体から受信され、画像データ送信装置に転送される。そのため、画像データ送信装置および画像表示装置はいずれも、どの指示体にどの権限が付与されているか、という点を管理する必要がないため、場合によっては望ましい。
【００２２】
また、上記の本発明にかかる画像表示システムにおいて、前記指示体もしくは前記指示体から発せられた光を撮像することにより撮像データを生成する撮像手段と、前記撮像手段により生成された撮像データにより示される前記指示体または前記指示体から発せられた光が示す画像もしくは前記指示体から発せられた光が示す画像の変化の規則性に基づき、前記軌跡データについての処理に関する複数の態様のうち前記指示体に応じた態様を特定する態様特定手段とを備え、前記軌跡データ処理手段は、前記態様特定手段により特定された態様で、前記軌跡データについて処理を行う、という構成が採用されてもよい。
【００２３】
この画像表示システムによれば、ユーザーは、例えば指示体の色や形状、指示体の表面に付された模様、指示体から発せられる光の波長や点滅等のパターンなどが各々異なる複数の指示体の中から、希望する権限の付与された指示体を選択して用いることで、その指示体を用いた筆記操作により生成される軌跡データの処理の態様を選択することができる。
【図面の簡単な説明】
【００２４】
【図１】第１実施形態にかかるＩＷＢシステムの全体構成を示した図である。
【図２】第１実施形態にかかるＩＷＢシステムの機能構成を示した図である。
【図３】第１実施形態にかかるデバイスデータベースのデータ構成を示した図である。
【図４】第１実施形態にかかるＩＷＢシステムにおいて筆記動作待機時のスクリーンの状態を示した図である。
【図５】第１実施形態にかかるＩＷＢシステムにおいて筆記動作時のスクリーンの状態を示した図である。
【図６】第１実施形態にかかるＩＷＢシステムにおいて表示される確認画面を示した図である。
【図７】第１実施形態にかかるＩＷＢシステムにおいて表示される属性変更画面を示した図である。
【図８】第１実施形態にかかる画像データ送信装置に記憶されるデータ群の構成を示した図である。
【図９】第２実施形態にかかるＩＷＢシステムの機能構成を示した図である。
【図１０】第２実施形態にかかるデバイスに記憶されているデータ群の構成を示した図である。
【発明を実施するための形態】
【００２５】
［第１実施形態］
図１は、本発明の一実施形態であるＩＷＢシステム（インタラクティブホワイトボードシステム）１の全体構成を示した図である。ＩＷＢシステム１は、画像の表示面を構成するスクリーン１０と、スクリーン１０に対し画像の表示を行う画像表示システム１１と、スクリーン１０上に表示された画像に対しユーザーが電子的に手書きの文字や画像を書き込む際に筆記具として用いるペン型のデバイス（指示体）１２とを備えている。
【００２６】
画像表示システム１１は、スクリーン１０上に表示される画像を示す画像データを次に述べる画像表示装置１１２に送信する画像データ送信装置１１１と、画像データ送信装置１１１から受信した画像データに従い画像をスクリーン１０に表示する画像表示装置１１２とを備えている。
【００２７】
また、画像表示装置１１２はスクリーン１０上におけるデバイス１２の位置を継続的に特定する機能を備えている。画像表示装置１１２はそのように特定したデバイス１２の位置の時系列的な変化（軌跡）を示す軌跡データを画像データ送信装置１１１に送信する。
【００２８】
画像データ送信装置１１１は、画像表示装置１１２から受信した軌跡データに従い軌跡を示す画像（以下、「軌跡画像」と呼ぶ）を、別途取得した背景画像に重畳した合成画像を示す合成画像データを画像表示装置１１２に送信する。画像表示装置１１２は、画像データ送信装置１１１から受信した合成画像データをスクリーン１０に表示する。その結果、ユーザーのデバイス１２を用いた筆記動作に伴い、スクリーン１０上の画像にユーザーが電子的な書き込みを行うことができる。
【００２９】
画像表示装置１１２は、フロントプロジェクション型の短焦点のプロジェクターである。画像表示装置１１２は例えば、図１に示されるように、スクリーン１０の上部にスクリーン１０に比較的近い距離に配置されている。そのため、ユーザーが筆記動作を行う際、スクリーン１０に投写される画像にユーザーの影があまり映り込まない。
【００３０】
また、画像表示装置１１２においては、デバイス１２の位置を特定する方式として、スクリーン１０の方向に撮像を行うカメラ（撮像手段）により得られた画像に写り込んだデバイス１２が発するＬＥＤ光を画像解析により特定する方式が採用されている。
【００３１】
そのため、デバイス１２はユーザーによる筆記動作に伴い、そのペン先がスクリーン１０に押し付けられると、ペン先からＬＥＤ光が照射される仕組みを備えている。ＩＷＢシステム１においては、各々異なる権限の付与された複数のデバイス１２が利用される。それらの複数のデバイス１２は各々、異なる波長のＬＥＤ光を照射し、画像表示装置１１２は画像解析において、それらのＬＥＤ光の波長に基づき筆記に用いられているデバイス１２の各々を識別する。なお、デバイス１２から発せられるＬＥＤ光は可視光であっても良く、非可視光（例えば、赤外光）であっても良い。
【００３２】
図２は、ＩＷＢシステム１の機能構成を模式的に示した図である。
【００３３】
まず、デバイス１２は、発光手段１２１、圧力センサー１２２、及び制御手段１２９を備えている。
発光手段１２１は、デバイス１２に固有の波長のＬＥＤ光を、ペン先から照射する。また発光手段１２１は、ペン頭から全てのデバイス１２に共通の削除用（消しゴム機能用）の波長のＬＥＤ光を照射する。なお「ペン先」とは、デバイス１２の両端部のうち、筆記動作時にスクリーン１０に押し付けられる端部である。また「ペン頭」とは、デバイス１２の両端部のうち、「ペン先」とは反対側の端部である。
圧力センサー１２２は、ユーザーによる筆記動作に伴いペン先がスクリーン１０に押し付けられたことを検出する。また圧力センサー１２２は、ユーザーによる消しゴムで消す動作に伴いペン頭がスクリーン１０に押し付けられたことを検出する。
制御手段１２９は、デバイス１２の他の構成部の動作を制御する。
なお、デバイス１２の各構成部は図示せぬ電池から供給される電力により動作する。
【００３４】
画像表示システム１１は既述のように、画像データを画像表示装置１１２に送信する画像データ送信装置１１１と、画像データ送信装置１１１から受信した画像データに従い画像を表示する画像表示装置１１２とを備えている。
【００３５】
なお、画像データ送信装置１１１と画像表示装置１１２とは、互いに無線通信もしくは有線通信によりデータの送受信を行う。その際、画像データ送信装置１１１と画像表示装置１１２が直接、データ通信を行う構成が採用されてもよいし、無線アクセスポイント、ルーター等のデータ中継装置を介してデータ通信を行う構成が採用されてもよい。
【００３６】
画像データ送信装置１１１は、汎用のコンピューターに本発明にかかるプログラムに従った処理を実行させることにより、図２に示した機能構成部を備える装置として実現される。ただし、画像データ送信装置１１１は、例えば図２に示した機能構成部を各々ハードウェア的に構成したいわゆる専用機として実現されてもよい。
【００３７】
画像データ送信装置１１１は、画像データ取得手段１１１１、受信手段１１１２、重畳処理手段１１１３、送信手段１１１４、記憶手段１１１５、軌跡データ処理手段１１１６、及び制御手段１１１９を備えている。
画像データ取得手段１１１１は、スクリーン１０上に表示される背景画像を示す画像データを取得する。画像データ取得手段１１１１が画像データを取得する方法としては、受信手段によりネットワークを介して他のデータ通信装置から画像データを受信することにより取得する方法、データ読出手段によりデータ記録媒体から画像データを読み出すことにより取得する方法、例えば画像データを生成するアプリケーションプログラムに従った処理に従い画像データ送信装置１１１において画像データ生成手段により生成された画像データを取得する方法など、様々な方法が採用され得る。
【００３８】
受信手段１１１２は、画像表示装置１１２から送信されてくる軌跡データと、その軌跡データの処理に関する態様を示すデータである態様データとを受信する。
重畳処理手段１１１３は、画像データ取得手段１１１１により取得された画像データにより示される背景画像に対し、受信手段１１１２により受信された軌跡データにより示される軌跡画像を重畳した合成画像を示す合成画像データを生成する。
【００３９】
送信手段１１１４は、重畳処理手段１１１３により生成された合成画像データを画像表示装置１１２に送信する。
記憶手段１１１５は、画像データ取得手段１１１１により取得された画像データと、受信手段１１１２により受信された軌跡データおよび態様データとを記憶する。
【００４０】
軌跡データ処理手段１１１６は、記憶手段１１１５に記憶される軌跡データを、その軌跡データとともに記憶手段１１１５に記憶される態様データに示される態様で処理する。
【００４１】
軌跡データ処理手段１１１６が軌跡データに関し行う処理とは、具体的には、軌跡データの保存、印刷、削除および暗号化である。例えば、軌跡データ処理手段１１１６は、態様データが保存の許可という態様を示す場合に限り、その軌跡データを記憶手段１１１５に記憶させる。また、軌跡データ処理手段１１１６は、態様データが印刷の許可という態様を示す場合に限り、その軌跡データにより示される軌跡画像の印刷が外部のプリンタによって実行されることを許容する。
【００４２】
また、軌跡データ処理手段１１１６は、態様データが削除の許可という態様を示す場合に限り、ユーザーの指示に従ってその軌跡データが記憶手段１１１５から削除されることを許容する。また、軌跡データ処理手段１１１６は、態様データが暗号化という態様を示す場合、その軌跡データをユーザーにより指定されたパスワードに従い生成した暗号鍵を用いて暗号化した後、記憶手段１１１５に記憶させる。
【００４３】
制御手段１１１９は、画像データ送信装置１１１の他の構成部の動作を制御する。
なお、画像データ送信装置１１１の各構成部は図示せぬ電源から供給される電力により動作する。
【００４４】
画像表示装置１１２は、撮像手段１１２１、軌跡データ生成手段１１２２、記憶手段１１２３、態様特性手段１１２４、送信手段１１２５、受信手段１１２６、画像表示手段１１２７、及び制御手段１１２９を備えている。
撮像手段１１２１は、スクリーン１０に向けて配置された撮像部（イメージセンサー等）を含み、当該撮像部により所定の時間間隔（例えば、０．１秒毎）で撮像を行い、スクリーン１０に表示された画像およびデバイス１２から発せられた光を示す撮像データを生成する。
【００４５】
軌跡データ生成手段１１２２は、撮像手段１１２１により生成された撮像データに示される画像を解析し、デバイス１２から発せられた光を検出し、スクリーン１０上におけるその位置を特定する。軌跡データ生成手段１１２２は、撮像手段１１２１から順次引き渡される撮像データに関し光の位置を特定し、それらの時系列的な変化を示す軌跡データを生成する。また軌跡データ生成手段１１２２は、位置を特定した光の波長を示すデータを態様特定手段１１２４に引き渡し、その応答として態様特定手段１１２４から態様データを受け取る。
【００４６】
記憶手段１１２３は、複数のデバイス１２の各々を識別するデバイスＩＤに対応付けて、そのデバイスＩＤで識別されるデバイス１２を用いたユーザーによる筆記動作に伴い生成される軌跡データに関する処理の態様を示す態様データを記憶する。
【００４７】
態様特定手段１１２４は、軌跡データ生成手段１１２２から光の波長を示すデータを受け取り、記憶手段１１２３からその波長に応じた態様データを読み出すことで筆記動作に用いられているデバイス１２に応じた態様データを特定し、その態様データを軌跡データ生成手段１１２２に引き渡す。
送信手段１１２５は、軌跡データ生成手段１１２２から軌跡データとその軌跡データに応じた態様データを受け取り、画像データ送信装置１１１に送信する。
【００４８】
受信手段１１２６は、画像データ送信装置１１１から送信されてくる画像データ（合成画像データ）を受信する。
画像表示手段１１２７は、受信手段１１２６により受信された画像データに従い、画像をスクリーン１０に表示する。
【００４９】
制御手段１１２９は、画像表示装置１１２の他の構成部の動作を制御する。
なお、画像表示装置１１２の各構成部は図示せぬ電源から供給される電力により動作する。
【００５０】
画像表示手段１１２７は、ＶＲＡＭ１１２７１、ライトバルブ駆動部１１２７２、液晶ライトバルブ１１２７３、光源１１２７４、及び投写レンズ１１２７５を備えている。
ＶＲＡＭ１１２７１には、受信手段１１２６から引き渡される画像データが展開される。
ライトバルブ駆動部１１２７２は、ＶＲＡＭ１１２７１に展開された画像データに従い液晶ライトバルブ１１２７３を駆動する。
【００５１】
液晶ライトバルブ１１２７３は、光源１１２７４から入射される光を画像データに基づいて変調する光変調装置である。液晶ライトバルブ１１２７３は、ライトバルブ駆動部１１２７２により駆動される。
光源１１２７４は、液晶ライトバルブ１１２７３に対し光を照射する。
投写レンズ１１２７５は、光源１１２７４から照射され液晶ライトバルブ１１２７３によって変調された光を投写する。
【００５２】
投写レンズ１１２７５を透過した画像光はスクリーン１０に投写され、画像として表示される。
【００５３】
画像表示装置１１２の記憶手段１１２３には、複数のデバイス１２の各々に割り当てられた、軌跡データに関する処理の態様を示す態様データを管理するデバイスデータベースが記憶されている。
【００５４】
図３は、デバイスデータベースのデータ構成を例示した図である。デバイスデータベースは、複数のデバイス１２の各々に関するデータレコードの集まりである。各データレコードは、以下のデータフィールドを含んでいる。
【００５５】
デバイスＩＤ：デバイス１２を識別するデバイスＩＤを格納する。
波長：ユーザーの筆記動作時にデバイス１２のペン先からスクリーン１０に対し照射されるＬＥＤ光の波長を示すデータを格納する。なお、各デバイス１２のペン先から照射される光がいずれも可視光であれば、波長を示すデータとして、当該波長に対応する色を示すデータを「波長」のデータフィールドに格納してもよい。
【００５６】
保存：デバイス１２を用いたユーザーの筆記動作に伴い軌跡データ生成手段１１２２により生成される軌跡データの保存の可否を示すデータ（「保存可」「保存不可」のいずれか）を格納する。
【００５７】
印刷：デバイス１２を用いたユーザーの筆記動作に伴い軌跡データ生成手段１１２２により生成される軌跡データの印刷の可否を示すデータ（「印刷可」「印刷不可」のいずれか）を格納する。
【００５８】
削除：デバイス１２を用いたユーザーの筆記動作に伴い軌跡データ生成手段１１２２により生成される軌跡データの削除の可否を示すデータ（「削除可」「削除不可」のいずれか）を格納する。
【００５９】
暗号化：デバイス１２を用いたユーザーの筆記動作に伴い軌跡データ生成手段１１２２により生成される軌跡データを暗号化するか否かを示すデータ（「暗号化有」「暗号化無」のいずれか）を格納する。
【００６０】
なお、デバイスデータベースのデータフィールド「保存」、「印刷」、「削除」、及び「暗号化」は、軌跡データに関する処理の態様を示す態様データである。以下、これらの態様データにより示されるデバイス１２に割り当てられた軌跡データに関する処理の態様を、便宜的に「権限」と呼ぶ。
【００６１】
例えば、「保存権限が付与されたデバイス１２」という場合、それは「保存可」という態様データが対応付けられたデバイスＩＤにより識別されるデバイス１２であることを意味する。
【００６２】
図４は、ユーザー（図示略）による文字や図の書き込み動作を待機している状態のＩＷＢシステム１におけるスクリーン１０の状態を示した図である。
【００６３】
図４に示されるグラフ（棒グラフおよび円グラフ）は、例えば画像データ送信装置１１１においてプレゼンテーションアプリケーションに従い生成され、画像データ取得手段１１１１により取得された画像データにより示される背景画像である。
【００６４】
図５は、ユーザー（図示略）により、スクリーン１０に投写されている画像に対し文字や図の書き込みが行われる際のスクリーン１０の状態を示した図である。図５の例において、ユーザーは希望する権限が付与されたデバイス１２としてデバイス１２−１を選択し、背景画像に含まれる棒グラフの一部を指し示す矢印を書き込んだ後、「ココが重要！」というコメントを書き込んでいる。
【００６５】
ユーザーによる筆記動作中、デバイス１２−１からはＬＥＤ光の照射が行われる。画像表示装置１１２の撮像手段１１２１は撮像処理により、背景画像とデバイス１２−１から発光されたＬＥＤ光とを含む画像を示す撮像データを順次生成する。撮像手段１１２１により生成された撮像データは軌跡データ生成手段１１２２に順次引き渡される。
【００６６】
軌跡データ生成手段１１２２は撮像手段１１２１から順次引き渡される撮像データにより示される画像を解析し、ＬＥＤ光の位置を順次特定し、軌跡データを生成する。また、特定した位置のＬＥＤ光を示すデータを態様特定手段１１２４に引き渡す。
【００６７】
態様特定手段１１２４は、軌跡データ生成手段１１２２から受け取ったＬＥＤ光の波長を示すデータを検索キーとし、デバイスデータベース（図３）からデバイス１２−１に対応するデータレコードを検索し、検索したデータレコードのデータフィールド「波長」、「保存」、「印刷」、「削除」、及び「暗号化」に格納されているデータを読み出し、それらをデバイス１２−１に付与されている権限を示す態様データとして軌跡データ生成手段１１２２に出力する。
【００６８】
軌跡データ生成手段１１２２は、態様特定手段１１２４から引き渡されたデバイス１２−１に付与されている権限を示す態様データを、生成した軌跡データとともに送信手段１１２５に引き渡す。送信手段１１２５は軌跡データおよび態様データを画像データ送信装置１１１に送信する。
【００６９】
画像データ送信装置１１１の受信手段１１１２は、画像表示装置１１２から軌跡データおよび態様データを受信すると、軌跡データを重畳処理手段１１１３に引き渡す。
【００７０】
重畳処理手段１１１３は、画像データ取得手段１１１１から引き渡される画像データにより示される背景画像に対し、受信手段１１１２から引き渡される軌跡データにより示される軌跡画像を重畳した合成画像を示す合成画像データを生成し、送信手段１１１４に引き渡す。送信手段１１１４は、重畳処理手段１１１３から引き渡された合成画像データを画像表示装置１１２に送信する。
【００７１】
画像表示装置１１２の受信手段１１２６は、画像データ送信装置１１１から送信されてくる合成画像データを受信すると、その合成画像データを画像表示手段１１２７に引き渡す。
【００７２】
画像表示手段１１２７において、合成画像データはＶＲＡＭ１１２７１に引き渡され、展開される。
【００７３】
なお、画像表示装置１１２が画像データ送信装置１１１から受信する合成画像データがエンコードされている場合、画像表示手段１１２７はデコード手段（図２において図示略）によりその合成画像データをエンコードする。
【００７４】
また、画像表示装置１１２が画像データ送信装置１１１から受信する合成画像データがベクター形式である場合、画像表示手段１１２７はラスター化処理手段（図２において図示略）により、画像データ送信装置１１１から受信した合成画像データ（または必要に応じてそれをエンコードした合成画像データ）をラスター形式の合成画像データに変換する。
【００７５】
必要に応じて、上記のようにエンコードおよび／もしくはラスター化されて得られたラスター形式の合成画像データが、ＶＲＡＭ１１２７１に展開される。
【００７６】
ＶＲＡＭ１１２７１に展開された合成画像データは、ライトバルブ駆動部１１２７２に順次読み出され、液晶ライトバルブ１１２７３の駆動に用いられる。
【００７７】
光源１１２７４から照射された光は、ライトバルブ駆動部１１２７２に駆動された液晶ライトバルブ１１２７３によって変調される。液晶ライトバルブ１１２７３によって変調された光は、投写レンズ１１２７５によってスクリーン１０に投写される。その結果、スクリーン１０上には背景画像に軌跡画像が重畳された画像が表示される。
【００７８】
ユーザーによる筆記動作に伴い、上記の動作が継続的に行われる結果、スクリーン１０上に投写されている背景画像上に、ユーザーの筆記動作に応じてリアルタイムに文字や図形の書き込みが行われることになる。
【００７９】
上記は、ユーザーがデバイス１２のペン先をスクリーン１０に押し当てて筆記動作を行った場合に軌跡画像が背景画像に重畳表示される場合のＩＷＢシステム１の動作を説明したものであるが、ユーザーがデバイス１２のペン頭をスクリーン１０に押し当てて消しゴムで消すような動作を行った場合にも、概ね同様の処理がＩＷＢシステム１において行われ、その動作の対象位置に表示されている軌跡画像が消去（非表示）される。
【００８０】
すなわち、ペン頭による消しゴム使用の動作に伴い軌跡データ生成手段１１２２により生成される軌跡データが消しゴムの軌跡データであることが、ペン頭から照射されるＬＥＤ光の波長（全てのデバイス１２において共通）に基づき態様特定手段１１２４により特定される。
【００８１】
軌跡データ生成手段１１２２は、軌跡データを、消去を示す特殊な態様データとともに送信手段１１２５に引き渡す。送信手段１１２５はそれらの軌跡データおよび態様データを画像データ送信装置１１１に送信する。
【００８２】
画像データ送信装置１１１の受信手段１１１２は消去を示す態様データ、及び軌跡データを受信すると、それらを軌跡データ処理手段１１１６に引き渡す。軌跡データ処理手段１１１６は、引き渡された態様データが消去を示す場合、その時点まで重畳処理手段１１１３に継続的に引き渡していた通常の軌跡データ（軌跡画像を示す軌跡データ）のうち、消去を示す軌跡データに示される軌跡上の軌跡画像を示すものを削除する。
【００８３】
その結果、ユーザーがペン頭により消しゴムで消す動作を行った位置に表示されていた軌跡画像が消去され、電子的な消しゴムによる文字や図形の消去が実現される。
【００８４】
スクリーン１０に投写されている画像の右上の領域１３１には、「波長」に対応するアイコン１３１１、「保存」に対応するアイコン１３１２、「印刷」に対応するアイコン１３１３、「削除」に対応するアイコン１３１４、「暗号化」に対応するアイコン１３１５、及び「設定」に対応するアイコン１３１６が含まれている。アイコン１３１１の色は使用中のデバイス１２のＬＥＤ光の波長を示す。なお、アイコン１３１１の色はデバイス１２を用いた筆記動作に伴い表示される軌跡画像の色とは必ずしも一致しない。
【００８５】
アイコン１３１２〜１３１５は、使用中のデバイス１２に付与されている権限を示す。例えば、図５に示される例では、アイコン１３１２とアイコン１３１４に○印が付されている。これらのアイコンは、使用中のデバイス１２−１を用いた筆記動作により生成される軌跡データが保存可能であり、削除可能であることを示している。
【００８６】
また、図５に示される例では、アイコン１３１３とアイコン１３１５に×印が付されている。これらのアイコンは、使用中のデバイス１２−１を用いた筆記動作により生成される軌跡データが印刷不可であり、暗号化されないことを示している。このように、それらのアイコンに付される○印はアイコンに対応する処理が許可または有効であることを示し、×印はアイコンに対応する処理が不許可または無効であることを示す。
【００８７】
これらのアイコンの画像は、画像データ送信装置１１１において軌跡データ処理手段１１１６が態様データに基づき生成し、重畳処理手段１１１３に重畳を指示した画像である。
【００８８】
ユーザーは筆記動作中、領域１３１に示されるアイコン１３１２〜１３１５の外観により、現在筆記中の文字や図形が保存可能であるか否か、印刷可能であるか否か、削除可能であるか否か、暗号化されるか否か、を確認することができる。
【００８９】
ユーザーはデバイス１２−１に付与されている権限を変更したい場合、アイコン１３１６をデバイス１２−１のペン先でタッチすることで、設定モードにすることができる。
【００９０】
設定モード中、ユーザーが権限の変更を行いたい処理に対応するアイコンをデバイス１２−１のペン先でタッチすると、そのアイコンに対応する処理に関し現在付与されている権限がトグル式に切り替わる。例えば、ユーザーが○印の付されたアイコン１３１２をデバイス１２のペン先でタッチすると、アイコン１３１２が×印の付されたものに変化し、このデバイス１２の筆記動作により生成される軌跡データが保存不可となる。
【００９１】
なお、上記のようなデバイス１２によるタッチ操作は、撮像手段１１２１により撮像された撮像データに基づき軌跡データ生成手段１１２２により生成された軌跡データが示すデバイス１２のペン先の位置の変化により特定される。
【００９２】
設定モード中のタッチ操作により権限に変更が行われると、変更後の権限を示すようにデバイスデータベース（図３）が更新される。これにより、その後にデバイス１２−１を用いた筆記動作により生成される軌跡データに関する処理の態様が変更される。
【００９３】
画像表示装置１１２から画像データ送信装置１１１に送信される軌跡データは、上記のようにスクリーン１０に対する軌跡画像の表示に用いられるとともに、画像データ送信装置１１１の記憶手段１１１５に、背景画像を示す画像データおよび態様データとともに一時的に記憶される。
【００９４】
画像データ取得手段１１１１は、重畳処理手段１１１３に引き渡すものと同じ背景画像を示す画像データを軌跡データ処理手段１１１６に引き渡す。
【００９５】
また、受信手段１１１２は画像表示装置１１２から軌跡データおよび態様データを受信すると、それらのデータを軌跡データ処理手段１１１６に引き渡す。
【００９６】
ユーザーは、例えばプレゼンテーションの途中やその終了時などの任意のタイミングで、例えば図５の左上の領域１３２に表示される「保存」に対応するアイコン１３２１をいずれかのデバイス１２のペン先でタッチすることにより、背景画像と軌跡画像を示すデータを画像データ送信装置１１１の記憶手段１１１５に保存することができる。
【００９７】
アイコン１３２１がタッチされると、スクリーン１０上には保存されるデータの内容の確認を促す確認画面が表示される。
【００９８】
図６は、確認画面を模式的に示した図である。確認画面は、各軌跡画像の保存の可否を示す領域１４１、各軌跡画像の印刷の可否を示す領域１４２、各軌跡画像の削除の可否を示す領域１４３、および各軌跡画像の暗号化の有無を示す領域１４４に区分されている。領域１４１には、例えば保存可の軌跡画像は黒（図６においては塗り潰し文字で表示）、保存不可の軌跡画像は赤（図６においては斜線文字で表示）、のように異なる表示態様で表示される。同様に、印刷、削除および暗号化に関しても、それらの可否および有無が異なる表示態様で表示される。
【００９９】
ユーザーは、確認画面において、どの部分の軌跡画像が保存されるか、また保存される軌跡画像がどのような属性（印刷の可否、削除の可否、暗号化の有無）で保存されるか、を確認できる。
【０１００】
ユーザーは、保存される軌跡画像を変更したい場合や保存される軌跡画像の属性を変更したい場合、確認画面のボタン１４１１、ボタン１４２１、ボタン１４３１、もしくはボタン１４４１をデバイス１２のペン先でタッチする。画像表示装置１１２は、それらのタッチ操作に応じて、選択されたボタンに対応する属性を変更するための属性変更画面をスクリーン１０に表示する。
【０１０１】
図７は、例としてボタン１４１１がタッチされた際に表示される保存に関する属性変更画面を模式的に示した図である。属性変更画面において、ユーザーが例えばデバイス１２を用いて属性の変更を行いたい軌跡画像の周りを囲む線を書き込む筆記動作を行うと、その囲まれた領域内の軌跡画像の属性を変更するためのオプションボタンがポップアップ表示される。
【０１０２】
ユーザーがデバイス１２のペン先で、例えば「保存可」、及び「保存不可」のいずれかのオプションボタンをタッチすると、指定した領域内の軌跡画像の保存に関する属性が変更される。その後、ユーザーが属性変更画面に表示される「ＯＫ」ボタンをデバイス１２のペン先でタッチすると、確認画面（図６）の表示に戻る。
【０１０３】
ユーザーは必要に応じて上記のような属性変更の操作を行った後、確認画面に表示される「ＯＫ」ボタン、すなわちボタン１４０をデバイス１２のペン先でタッチすると、上記の属性変更を示すデータを含む保存指示データが画像表示装置１１２から画像データ送信装置１１１に送信される。
【０１０４】
画像データ送信装置１１１の受信手段１１１２は、画像表示装置１１２から保存指示データを受信すると、その保存指示データを軌跡データ処理手段１１１６に引き渡す。
【０１０５】
軌跡データ処理手段１１１６は保存指示データに従い、記憶手段１１１５に一時的に記憶されている背景画像を示す画像データ、軌跡データおよび態様データを、態様データに応じた態様で記憶手段１１１５に記憶させる。具体的には以下のとおりである。
【０１０６】
軌跡データ処理手段１１１６は、記憶手段１１１５に一時的に記憶されている態様データが「保存不可」を示す場合、その態様データに対応する軌跡データを破棄する。
【０１０７】
一方、軌跡データ処理手段１１１６は、態様データが「保存可」を示す場合、続いて、態様データが「暗号化有」、及び「暗号化無」のいずれを示すかを特定する。
【０１０８】
態様データが「暗号化有」を示す場合、軌跡データ処理手段１１１６はその態様データに対応する軌跡データを、例えばユーザーにより予め画像データ送信装置１１１に対し設定されているパスワードに応じて生成され記憶手段１１１５に記憶されている暗号鍵を用いて暗号化する。
【０１０９】
軌跡データ処理手段１１１６は、記憶手段１１１５に一時的に記憶されている背景画像を示す画像データを、上記のように破棄や暗号化の処理を行った後の軌跡データと態様データとともに、記憶手段１１１５に記憶させる。
【０１１０】
図８は、記憶手段１１１５に記憶される画像データ、軌跡データおよび態様データの構成を模式的に示した図である。図８に示すデータ群は１枚の合成画像を示すデータ群を示している。１枚の合成画像を示すデータ群は、背景画像を示す１つの画像データと、複数の軌跡データを含んでいる。背景画像を示す画像データと軌跡データとは「種別」により区別されている。また、異なる軌跡を示す画像データは各々、画像ＩＤにより区別されている。
【０１１１】
複数の軌跡データの各々には、「印刷」「削除」「暗号化」の各々の属性（可否または有無）を示す態様データが対応付けて記憶されている。なお、保存に関する態様データは、既に保存されている軌跡データに関しては「保存可」であることが明らかであるため、図８に示したデータ群には含まれていない。
【０１１２】
なお、図８に示したデータ構成は１枚の合成画像（静止画）を示すデータ群を示したものである。合成画像が動画として保存される場合、図８に示した構成のデータ群が時系列的に並んだものが保存され、それらが全体として１つの動画を示すことになる。もしくは、背景画像を示す動画データ、軌跡画像の各々を示す動画データが、図８に示したデータ群を構成してもよい。
【０１１３】
上記のように記憶手段１１１５に記憶された画像データおよび軌跡データは再生表示や印刷などに用いられる。
【０１１４】
例えば、ユーザーが画像データ送信装置１１１に対し、記憶手段１１１５に記憶されている複数の合成画像を示す画像データから再生表示を希望するものを選択する操作を行うと、軌跡データ処理手段１１１６は記憶手段１１１５からユーザーにより選択された画像データと、それに対応付けて記憶されている軌跡データおよび態様データを読み出す。
【０１１５】
軌跡データ処理手段１１１６は、読み出した軌跡データが暗号化されている場合、ユーザーにパスワードの入力を促す画面を、表示手段（図２において図示略）に表示させる。その画面に対しユーザーにより正しいパスワードが入力された場合、軌跡データ処理手段１１１６は記憶手段１１１５から暗号鍵を読み出し、軌跡データを復号化する。
【０１１６】
軌跡データ処理手段１１１６は、必要に応じて復号化を行った軌跡データを、画像データとともに重畳処理手段１１１３に引き渡す。その後、上述したものと同様の処理が行われ、画像表示装置１１２によるスクリーン１０への画像の投写が行われる。
【０１１７】
なお、再生表示においては、画像表示装置１１２によりスクリーン１０上に画像の表示が行われる代わりに、画像データ送信装置１１１において表示手段（図２において図示略）により画像の表示が行われてもよい。その場合、重畳処理手段１１１３は送信手段１１１４に合成画像データを引き渡す代わりに、画像データ送信装置１１１の表示手段に合成画像データを引き渡すことになる。
【０１１８】
例えば、ユーザーがスクリーン１０上もしくは画像データ送信装置１１１の表示手段に表示されている合成画像の印刷を指示する操作を画像データ送信装置１１１に対し行った場合、軌跡データ処理手段１１１６は記憶手段１１１５から読み出した態様データが「印刷可」であるか否かを特定する。
【０１１９】
軌跡データ処理手段１１１６は、「印刷可」を示す態様データに対応付けて記憶されている軌跡データが示す軌跡画像を背景画像に重畳した画像の印刷を印刷手段（図２において図示略）に指示する。その結果、印刷不可の軌跡画像を含まない画像がプリントアウトされる。
【０１２０】
なお、ユーザーは、上記の印刷の指示をスクリーン１０上においても行うことができる。すなわち、ユーザーが図５に示したスクリーン１０上の画像において、領域１３２に表示されるアイコン１３２２をデバイス１２のペン先でタッチすると、その操作に応じて画像表示装置１１２から画像データ送信装置１１１に対し印刷指示データが送信される。画像データ送信装置１１１においては、その印刷指示データに従い、印刷不可の軌跡画像を含まない画像のプリントアウトが行われる。
【０１２１】
また、例えばユーザーがスクリーン１０上もしくは画像データ送信装置１１１の表示手段に表示されている軌跡画像の一部を削除する操作を画像データ送信装置１１１もしくはスクリーン１０上の画像に対し行った場合、軌跡データ処理手段１１１６は指定された軌跡画像に応じた態様データを記憶手段１１１５から読み出し、その態様データが「削除可」を示すか否かを特定する。
【０１２２】
削除の指定された軌跡画像に応じた態様データが「削除可」を示す場合、軌跡データ処理手段１１１６はその軌跡データの削除を記憶手段１１１５に指示する。一方、削除の指定された軌跡画像に応じた態様データが「削除不可」を示す場合、軌跡データ処理手段１１１６はその軌跡データの削除指示を行わず、削除不可のメッセージの重畳表示を重畳処理手段１１１３に指示する。
【０１２３】
その結果、ユーザーが誤って、もしくは意図的に、削除不可である軌跡画像を削除することが回避される。
【０１２４】
以上述べたように、ＩＷＢシステム１によれば、ユーザーはスクリーン１０上に表示されている画像に対し手書きで文字や図形を書き込む際、筆記動作に用いるデバイス１２を交換することで、それらの文字や図形の保存の可否、印刷の可否、削除の可否、暗号化の有無などの処理の態様を直感的に選択することができる。
【０１２５】
［第２実施形態］
以下に、本発明の第２実施形態にかかるＩＷＢシステム２を説明する。ＩＷＢシステム２は第１実施形態にかかるＩＷＢシステム１と多くの点で共通している。従って、以下において、ＩＷＢシステム２がＩＷＢシステム１と異なる点を中心に説明する。
【０１２６】
また、ＩＷＢシステム２が備える構成部のうちＩＷＢシステム１と共通もしくは対応する構成部に関しては、ＩＷＢシステム１において用いたものと同じ符号を用いる。
【０１２７】
ＩＷＢシステム２においては、ペン型のデバイスの位置の特定が、デバイスから送信される電波信号の強度を用いた三角測量法により行われる。
【０１２８】
また、ＩＷＢシステム２においては、デバイスから送信される電波信号の周波数により、デバイスの識別が行われる。
【０１２９】
さらに、ＩＷＢシステム２においては、デバイスから送信される電波信号が、そのデバイスに付与されている権限を示す態様データを示す。そのため、ＩＷＢシステム２においては、画像表示システムにおいてデバイスの各々に付与されている権限を管理する必要がない。
【０１３０】
図９は、ＩＷＢシステム２の機能構成を模式的に示した図である。
【０１３１】
ＩＷＢシステム２で用いられるデバイス１２は、ＩＷＢシステム１で用いられるデバイス１２が備える圧力センサー１２２および制御手段１２９に加え、記憶部２２３、操作子２２４、態様データ変更手段２２５、表示手段２２６、送信手段２２７、及び受信手段２２８を備える。
【０１３２】
記憶手段２２３は、デバイス２２を識別するデバイスＩＤと、デバイス２２に付与されている権限を示す態様データを記憶する。
操作子２２４は、ユーザーによる操作を受け付け、操作に応じた信号を生成して態様データ変更手段２２５に引き渡す。
態様データ変更手段２２５は、操作子２２４から引き渡される信号に応じて、記憶手段２２３に記憶されている態様データを変更する。
表示手段２２６は、デバイス２２に付与されている権限を表示する。
送信手段２２７は、態様データを電波信号として送信する。
受信手段２２８は、画像表示装置１１２から送信されてくる、デバイス１２の権限の変更を指示する変更指示データを受信する。
【０１３３】
ＩＷＢシステム２が備える画像表示システム１１を構成する画像データ送信装置１１１は、ＩＷＢシステム１が備える画像表示システム１１を構成する画像データ送信装置１１１と同様である。
【０１３４】
ＩＷＢシステム２が備える画像表示システム１１を構成する画像表示装置１１２は、ＩＷＢシステム１が備える画像表示システム１１を構成する画像表示装置１１２が備える撮像手段１１２１、態様特定手段１１２４および記憶手段１１２３を備えない。それらに代えて、ＩＷＢシステム２の画像表示装置１１２は、位置特定手段２１２１、態様データ受信手段２１２２、及び変更指示データ送信手段２１２３を備える。
【０１３５】
位置特定手段２１２１は、異なる位置に配置された２個以上の電波受信用のアンテナを備え、それらのアンテナの各々により受信されたデバイス１２から送信されてくる電波信号の周波数に応じたデバイスＩＤ毎に、その電波の強度に基づき、現在のデバイス１２とアンテナとの距離を特定し、それらの距離から三角測量法に従いデバイス１２の現在の位置を特定する。位置特定手段２１２１は、特定した位置を示す位置データを軌跡データ生成手段１１２２に引き渡す。
【０１３６】
態様データ受信手段２１２２は、位置特定手段２１２１のアンテナを介して、デバイス１２から送信されてくる電波信号の周波数に応じたデバイスＩＤ毎に、その電波信号により示される態様データを受信する。
【０１３７】
変更指示データ送信手段２１２３は、ユーザーによりスクリーン１０の画像に対しデバイス１２を用いたタッチ操作に応じて、デバイス１２に現在付与されている権限の変更指示を示す変更指示データを生成し、デバイス１２に送信する。
【０１３８】
図１０は、デバイス１２の記憶手段２２３に記憶されているデバイスＩＤおよび態様データを模式的に示した図である。図１０に示されるように、デバイス１２には、そのデバイス１２を識別するデバイスＩＤと、そのデバイス１２に現在付与されている権限を示す態様データが記憶されている。
【０１３９】
ＩＷＢシステム２において、ユーザーが各々異なる権限の付与されたデバイス１２の中から希望する権限の付与されたデバイス１２を選択し、そのデバイス１２でスクリーン１０に表示されている画像に対する筆記動作を行うと、デバイス１２の送信手段２２７からはそのデバイス１２に固有の周波数の電波信号により、態様データが送信される。
【０１４０】
画像表示装置１１２の位置特定手段２１２１は、デバイス１２から送信されてきた電波信号を複数のアンテナで受信し、それらの周波数に基づいて、まずその電波信号の送信元のデバイス１２のデバイスＩＤを特定する。続いて、位置特定手段２１２１は、受信した電波信号の強度に基づきデバイス１２の位置を特定し、その位置を示す位置データを生成する。位置特定手段２１２１は、上記のように生成した位置データを、デバイスＩＤとともに軌跡データ生成手段１１２２に引き渡す。
【０１４１】
軌跡データ生成手段１１２２は、位置特定手段２１２１から位置データを受け取ると、それらの位置データに伴うデバイスＩＤ毎に、位置データにより示される位置の時系列的な変化を示す軌跡データを生成する。
【０１４２】
また、態様データ受信手段２１２２は、デバイス１２から電波信号として送信されてくる態様データを受信し、その電波信号の周波数により特定されるデバイスＩＤとともに軌跡データ生成手段１１２２に引き渡す。
【０１４３】
軌跡データ生成手段１１２２は、上記のように生成した軌跡データと、態様データ受信手段２１２２から引き渡された態様データとを、それらに伴うデバイスＩＤにより互いに対応付け、それらを送信手段１１２５に引き渡す。
【０１４４】
送信手段１１２５は軌跡データ生成手段１１２２から引き渡された軌跡データと態様データとを、それらに伴うデバイスＩＤとともに画像データ送信装置１１１に送信する。その後、ＩＷＢシステム１におけるものと同様の処理が行われる。
【０１４５】
なお、ＩＷＢシステム１においては態様データに含まれる「波長」がデバイスを識別するデバイスＩＤとしての役割を果たしていたが、ＩＷＢシステム２においては、波長に変えて、デバイス１２から送信される電波信号の周波数により識別されるデバイスＩＤがそのままデバイスを識別するデータとして用いられる。
【０１４６】
ユーザーは、デバイス１２に付与されている権限を変更したい場合、ＩＷＢシステム１における場合と同様に、スクリーン１０上の領域１３１に表示されるアイコンをデバイス１２のペン先でタッチすることにより、その変更をＩＷＢシステム２に対し指示することができる。
【０１４７】
その場合、画像表示装置１１２の変更指示データ送信手段２１２３はユーザーによるタッチ操作に応じて変更後の権限を示す変更指示データを生成し、ユーザーの変更指示に用いられたデバイス１２に固有の周波数の電波信号として生成した変更指示データを送信する。
【０１４８】
デバイス１２の受信手段２２８は画像表示装置１１２から送信されてくる変更指示データを受信すると、その変更指示データを態様データ変更手段２２５に引き渡す。態様データ変更手段２２５は変更指示データに従い、記憶手段２２３に記憶している態様データ（図１０）を変更する。
【０１４９】
ユーザーは、デバイス１２を直接操作することによっても、そのデバイス１２に現在付与されている権限を変更することができる。その場合、ユーザーはデバイス１２の操作子２２４を操作して現在付与されている権限を表示手段２２６に表示させた後、操作子２２４を操作してそれらの権限の変更を指示する。
【０１５０】
デバイス１２はユーザーの指示に従い、記憶手段２２３に記憶している態様データ（図１０）を変更する。
【０１５１】
上記のように権限の変更が行われると、デバイス１２はその後のユーザーによる筆記動作に伴う電波信号の送信において、変更後の態様データを示す電波信号を送信する。その結果、デバイス１２に付与されている権限の切り替えが実現される。
【０１５２】
ＩＷＢシステム２によっても、ＩＷＢシステム１と同様に、ユーザーはスクリーン１０上に表示されている画像に対し手書きで文字や図形を書き込む際、筆記動作に用いるデバイス１２を交換することで、それらの文字や図形の保存の可否、印刷の可否、削除の可否、暗号化の有無などの処理の態様を直感的に選択することができる。
【０１５３】
また、ＩＷＢシステム２によれば、デバイス１２に付与されている権限がそのデバイス１２において管理される。そのため、例えば同じデバイス１２が異なる画像表示システム１１とともに用いる場合など、同じデバイス１２に付与されている権限が異なることがないため、場合によっては便利である。
【０１５４】
［変形例］
上述した実施形態は各々、本発明の一具体例であって、本発明の技術的思想の範囲内において様々な変形が可能である。以下にそれらの変形の例を示す。
【０１５５】
上述した実施形態においては、画像表示装置として、フロントプロジェクション型のプロジェクターが採用されている。本発明はこの点に関し限定されず、画像表示装置は、例えばリアプロジェクション型のプロジェクターや、液晶ディスプレイなどであってもよい。
【０１５６】
また、上述した実施形態においては、デバイスの位置特定方式として、第１実施形態においてはデバイスが発する光を撮像した画像の解析によりデバイスの位置を特定する方式が採用され、第２実施形態においてはデバイスが発する電波を異なる位置で受信した際の電波強度からデバイスの位置を特定する方式が採用されている。
【０１５７】
本発明はこの点に関し限定されず、例えば画像の表示面上にマトリックス状に配置された感圧センサーによりデバイスの位置を特定する感圧方式、画像の表示面に概ね平行に複数方向に照射されるレーザー光が遮られたことを受光センサーにより検出することでデバイス等の位置を特定するレーザー光方式、電波に代えて超音波を用いるもの、レーザー光に代えて赤外線を用いるものなど、いずれの方式が採用されてもよい。
【０１５８】
また、第１実施形態においては、デバイスから固有の波長のＬＥＤ光が照射され、その光の照射部分を画像解析により特定することで、デバイスの位置の特定が行われる構成が採用されている。これに代えて、例えばデバイス自体の色や、デバイスに装着するキャップなどの装着物の色をデバイス毎に異ならせ、それらの色の波長に基づきデバイスを識別する構成が採用されてもよい。同様に、色に変えて、デバイス毎に異なるマークや模様をその表面に施すことにより、それらのマークや模様に基づきデバイスを識別する構成が採用されてもよい。
【０１５９】
例えば、デバイスの色によりデバイスの識別が行われる構成の場合、互いに色の異なる指輪型や指サック型のデバイスを指に装着し、指で表示面上に筆記動作を行うことによっても、本発明にかかるＩＷＢシステムが実現される。
【０１６０】
また、ＬＥＤ光の波長に変えて、例えばＬＥＤ光の発光パターン（所定間隔の点滅発光など）をデバイス毎に異ならせ、それらの発光パターンに基づきデバイスを識別する構成が採用されてもよい。なお、デバイスが発光を行う際、その光はＬＥＤ光以外の光でもよいことは言うまでもない。
【０１６１】
また、上述した実施形態においては、デバイスに付与されている権限の変更は、表示面（スクリーン）上におけるデバイスを用いた操作（第１実施形態および第２実施形態）もしくはデバイスに対する操作（第２実施形態）により行われる構成が採用されている。本発明はこの点に関し限定されず、例えば画像表示装置に設けられたボタン等の操作子に対する操作や画像データ送信装置に対する操作など、他の方法によりデバイスに付与されている権限の変更が行われる構成が採用されてもよい。
【０１６２】
さらに、デバイスに付与されている権限の変更が行われない構成が採用されてもよい。その場合、例えばデバイスの表面に、「保存不可」「印刷可」などの固定的な権限を表示することにより、ユーザーはより直感的にデバイスの選択による権限の選択ができるため、場合によっては望ましい。
【０１６３】
また、上述した実施形態においては、画像表示システムは画像データ送信装置と画像表示装置を備える構成が採用されている。本発明はこの点に関し限定されず、例えばそれらの装置が１つの筐体内に配置された一体型の画像表示システムとして構成されてもよい。その場合、画像データ送信装置と画像表示装置は同じ筐体内においてデータの受け渡しを行うことになる。
【０１６４】
また、上述した第１実施形態においては、デバイスに付与されている権限を示す態様データは、画像表示装置において管理される構成が採用されている。この点に関し本発明は限定されず、画像データ送信装置においてその管理が行われる構成が採用されてもよい。
【０１６５】
その場合、画像データ送信装置が例えばデバイスデータベース（図３）を記憶し、画像表示装置はデバイスＩＤと軌跡データを画像データ送信装置に送信する。そして、画像データ送信装置は画像表示装置から送信されてくるデバイスＩＤを検索キーとしてデバイスデータベースからそのデバイスの態様データを検索することで、画像表示装置から受信した軌跡データに応じた態様データの特定を行えばよい。
【０１６６】
また、上述した実施形態においては、画像データ、軌跡データおよび態様データの保存は画像データ送信装置において行われる構成が採用されている。本発明はこの点に関し限定されず、例えば画像表示装置においてそれらのデータの保存が行われてもよい。また、いずれかの装置において、外部のデータ記録媒体に対しそれらのデータの記録が行われる構成が採用されてもよい。
【０１６７】
画像表示装置において軌跡データ等の保存が行われる場合、画像表示装置はそれらのデータを画像データ送信手段から受信し、それらの保存を行う。その際、画像表示装置が軌跡データ処理手段を備え、態様データ（保存および暗号化に関するもの）に従い保存の是非や暗号化の要否を判定し、保存不可の軌跡データの破棄や暗号化を要する軌跡データの暗号化を行うようにしてもよい。
【０１６８】
上記のように画像表示装置に保存された軌跡データ等は、再生表示に画像データ送信装置に送信され、画像データ送信装置において重畳処理された後、画像表示装置にリターンされて、画像の表示に用いられる。もしくは、画像表示装置が重畳処理手段を備え、画像表示装置における重畳処理を経た後、画像の表示に用いられる構成が採用されてもよい。後者の場合、再生表示において画像データ送信装置が不要となり、場合によっては便利である。
【０１６９】
また、上述した実施形態においては、軌跡データに関する処理の態様として、保存、印刷、削除および暗号化が採用されている。本発明はこの点に関し限定されず、例えば表示の可否、色や太さなどの変更の可否などの他の種類の態様がデバイスの選択により選択可能な構成が採用されてもよい。
【０１７０】
また、上述した実施形態においては、図８に示されるように、暗号化の有無は軌跡データ単位で指定される構成が採用されている。ただし、図８に示されるデータ群に対する暗号化および復号化の単位は、必ずしも図８に示されるデータ群に含まれる個々のデータ単位でなくてもよい。
【０１７１】
例えば、軌跡データ毎に暗号化・復号化を行う構成が採用された場合、復号化時に正しいパスワードが入力されなかった場合、暗号化のされていない軌跡データにより示される軌跡画像のみが重畳された画像の表示を行うことが可能となる。
【０１７２】
一方、例えば１つでも暗号化有の軌跡データが含まれるデータ群に関しては、その全体を暗号化する構成が採用された場合、復号化時に正しいパスワードが入力されなかった場合、暗号化無の軌跡データにより示される軌跡画像も表示されない。
【０１７３】
いずれの場合も、正しいパスワード入力等が行われない限り、秘匿性の高い軌跡画像が容易に表示されることはない。
【０１７４】
また、上述した実施形態においては、各デバイスが識別されるため、複数のユーザーが各々異なるデバイスを用いて同時に表示面に対する筆記を行うことができる。本発明はこの点に関して限定されず、同時に１人のユーザーのみが筆記可能な構成が採用されてもよい。その場合、同時に使用される複数のデバイスの位置を個別に識別する仕組みが不要となるため、場合によってはシステムを簡易に実現することができ、望ましい。
【符号の説明】
【０１７５】
１…ＩＷＢシステム、２…ＩＷＢシステム、１０…スクリーン、１１…画像表示システム、１２…デバイス、１１１…画像データ送信装置、１１２…画像表示装置、１２１…発光手段、１２２…圧力センサー、１２９…制御手段、２２３…記憶手段、２２４…操作子、２２５…態様データ変更手段、２２６…表示手段、２２７…送信手段、２２８…受信手段、１１１１…画像データ取得手段、１１１２…受信手段、１１１３…重畳処理手段、１１１４…送信手段、１１１５…記憶手段、１１１６…軌跡データ処理手段、１１１９…制御手段、１１２１…撮像手段、１１２２…軌跡データ生成手段、１１２３…記憶手段、１１２４…態様特定手段、１１２５…送信手段、１１２６…受信手段、１１２７…画像表示手段、１１２９…制御手段、２１２１…位置特定手段、２１２２…態様データ受信手段、２１２３…変更指示データ送信手段、１１２７１…ＶＲＡＭ、１１２７２…ライトバルブ駆動部、１１２７３…液晶ライトバルブ、１１２７４…光源、１１２７５…投写レンズ
【図１】
2013235416.tif 000003
【図２】
2013235416.tif 000004
【図３】
2013235416.tif 000005
【図４】
2013235416.tif 000006
【図５】
2013235416.tif 000007
【図６】
2013235416.tif 000008
【図７】
2013235416.tif 000009
【図８】
2013235416.tif 000010
【図９】
2013235416.tif 000011
【図１０】
2013235416.tif 000012